(57)【特許請求の範囲】
【請求項１】
互いに対向する上下横枠と互いに対向する左右縦枠とにより囲われて形成された建物開口に装着するための横引き式のスクリーン装置であって、
断面略コ字状に形成された一連の上側ガイド溝を備え、該上側ガイド溝を下方に開口させて上記上横枠上に固定される上側ガイド枠と、
横方向に第一端及び第二端を有し、交互に逆方向に折り返した縦方向に延びる多数の折り目により互いに略同幅の多数の襞が形成され、これら各襞の上端部が上記上側ガイド溝内に配された状態で横方向にアコーディオン状に拡縮自在なスクリーンと、
該スクリーンの横方向の第一端を保持する第１保持部を有し、上記上側ガイド溝内に上端部が挿入されて横方向にスライド自在に支持された可動框と、
該スクリーンの横方向の第二端を保持する第２保持部を有し、上記左右縦枠の一方に固定される固定框と、
を備えていて、
上記上側ガイド溝が、長手方向に略一定の開口幅を有して上記可動框の上端部をスライド自在に支持する上側ガイド部と、上記固定框の上端部に配されて、上記建物開口を開放した収縮状態におけるスクリーンの襞の上端部を収容する上側拡幅部とを備えて構成されており、
上記上側拡幅部の開口幅が、上記スクリーンの襞の幅と同じかそれよりも広く形成され、上記上側ガイド部の開口幅が、該スクリーンの襞の幅よりも狭く、且つ、上記建物開口を閉鎖した拡張状態におけるスクリーンの一面側に配された各折り目を含む面と他面側に配された各折り目を含む面との間隔よりも広く形成されている、
ことを特徴とするスクリーン装置。
【請求項２】
上記上側ガイド溝において、上側ガイド部と上側拡幅部とが、該ガイド溝の開口幅を該ガイド部から該拡幅部に向けて徐々に拡大させる傾斜部により連結されている、
ことを特徴とする請求項１に記載のスクリーン装置。
【請求項３】
断面略コ字状に形成された一連の下側ガイド溝を備え、該下側ガイド溝を上方に開口させて上記下横枠上に固定される下側ガイド枠を有していて、
上記スクリーンの各襞の下端部が該下側ガイド溝内に配されると共に、上記可動框の下端部が上記下側ガイド溝内に挿入されており、
上記下側ガイド溝が、長手方向に略一定の開口幅を有して上記可動框の下端部をスライド自在に支持する下側ガイド部と、上記固定框の下端部に配されて、上記建物開口を開放した収縮状態におけるスクリーンの襞の下端部を収容する下側拡幅部とを備えて構成され、
上記下側拡幅部の開口幅が、上記スクリーンの襞の幅と同じかそれよりも広く形成されていて、上記下側ガイド部の開口幅が、該スクリーンの襞の幅よりも狭く、且つ、上記建物開口を閉鎖した拡張状態におけるスクリーンの一面側に配された各折り目を含む面と他面側に配された各折り目を含む面との間隔よりも広く形成されている、
ことを特徴とする請求項１又は請求項２の何れかに記載のスクリーン装置。
【請求項４】
上記下側ガイド溝において、下側ガイド部と下側拡幅部とが、該ガイド溝の開口幅を該ガイド部から該拡幅部に向けて徐々に拡大させる傾斜部により連結されている、
ことを特徴とする請求項３に記載のスクリーン装置。
【請求項５】
上記可動框の第１保持部が、スクリーンの開閉方向に対し所定角度傾斜させて設けられており、上記スクリーンの第一端に配された襞が、上記所定角度傾斜させた状態で上記第１保持部に保持されている、
ことを特徴とする請求項１〜４の何れかに記載のスクリーン装置。
【請求項６】
上記建物開口を閉鎖した拡張状態におけるスクリーンの互いに隣接する襞が、上記折り目で略９０度の角度を成していて、上記第１保持部のスクリーンの開閉方向に対する傾斜角度が略４５度を成している、
ことを特徴とする請求項５に記載のスクリーン装置。
【請求項７】
上記固定框が、上記建物開口を開放した収縮状態におけるスクリーンを収容する断面略コ字状の収容溝を備えていて、該収容溝を上記可動框側に開口させて上記左右縦枠の一方に固定されており、
該収容溝の内底部に、上記第２保持部が設けられている、
ことを特徴とする請求項１〜６の何れかに記載のスクリーン装置。
【請求項８】
上記上側ガイド枠が、上記上側ガイド部を備えた上側枠本体部と、上記上側拡幅部を備えて該枠本体部とは別体に形成され、上記固定框の上端部において該枠本体部の一端に連結された上側キャップ部とにより構成されている、
ことを特徴とする請求項１に記載のスクリーン装置。
【請求項９】
上記下側ガイド枠が、上記下側ガイド部を備えた下側枠本体部と、上記下側拡幅部を備えて該枠本体部とは別体に形成され、上記固定框の下端部において該枠本体部の一端に連結された下側キャップ部とにより構成されている、
ことを特徴とする請求項３に記載のスクリーン装置。
【請求項１０】
上記スクリーンが防虫ネットである、
ことを特徴とする請求項１〜９の何れかに記載のスクリーン装置。
【発明の詳細な説明】
【技術分野】
【０００１】
本発明は、防塵、遮光、断熱、防虫等を目的として、建物の開口に装着するための横引き式のスクリーン装置に関するものである。
【背景技術】
【０００２】
上下横枠及び左右縦枠とにより囲われて形成された建物開口に装着する横引き式のスクリーン装置において、縦枠に固定される固定框と、横枠に沿ってスライド自在な可動框と、交互に逆方向に折り返すことにより略同幅の多数の襞が形成されていて、これら固定框と可動框との間に両端を保持されたプリーツ状のスクリーンとを有し、上記可動框をスライドさせることにより、該スクリーンをアコーディオン状に拡縮させて、上記建物開口を開閉することができるように構成したものは、特許文献１及び特許文献２に記載されているように従来から知られている。
そして、この種のスクリーン装置においては、スクリーンの安定的な拡縮動作を確保したり、隙間からの小虫や塵埃等の侵入を防いだり等するため、上記建物開口の上下横枠のうち少なくとも上横枠に、断面略コ字状のガイド溝を備えたガイド枠が配されていて、上記可動框の上端部が該ガイド溝内に挿入されてスライド自在に支持されていると同時に、上記スクリーンの上端部も該ガイド溝内に配されているのが一般的である。
【０００３】
ところで、プリーツ状のスクリーンにおいては、その拡縮状態に応じて互いに隣接する襞同士が形成する折り目の角度が変化するので、同時にその前後方向の厚さ、すなわち即ちその一面側に配された各折り目を含む面と他面側に配された各折り目を含む面との間隔も変化する。そして、該スクリーンの厚さは、スクリーンを最も収縮させた状態で最大となり各襞の幅とほぼ等しくなる。そこで、従来のスクリーン装置においては、このようなスクリーンの厚さの変化を考慮して、上記ガイド枠のガイド溝の開口幅を、スクリーンの最大厚さである上記襞の幅と同じかそれよりも大きく形成している。
そのため、このような従来のスクリーン装置においては、スクリーンの厚さが最小となる該スクリーンを最も拡張させた状態では、ガイド溝の開口幅とスクリーンの厚さとの差が大きくなり、結果として、両者間の隙間から小虫や塵埃等が侵入し易くなるという問題点があった。また、材料コストやデザイン上の観点からしても、ガイド枠の幅はより小さい方が望ましいが、ガイド溝の開口幅によってガイド枠の幅が実質的に決定されることからすれば、上記ガイド溝の開口幅はより小さい方が望ましい。
【特許文献１】特開平８−３９９５９号公報
【特許文献２】特開平１０−６８２７９号公報
【発明の開示】
【発明が解決しようとする課題】
【０００４】
本発明の技術的課題は、プリーツ状スクリーンのスムーズな拡縮動作を確保しつつも、小虫や塵埃等の侵入をより確実に防止することが可能であり、しかも、材料コストを抑制することができ、デザイン性にも優れたスクリーン装置を提供することにある。
【課題を解決するための手段】
【０００５】
上記課題を解決するため、本発明に係るスクリーン装置は、互いに対向する上下横枠と互いに対向する左右縦枠とにより囲われて形成された建物開口に装着するための横引き式のスクリーン装置であって、断面略コ字状に形成された一連の上側ガイド溝を備え、該上側ガイド溝を下方に開口させて上記上横枠上に固定される上側ガイド枠と、横方向に第一端及び第二端を有し、交互に逆方向に折り返した縦方向に延びる多数の折り目により互いに略同幅の多数の襞が形成され、これら各襞の上端部が上記上側ガイド溝内に配された状態で横方向にアコーディオン状に拡縮自在なスクリーンと、該スクリーンの横方向の第一端を保持する第１保持部を有し、上記上側ガイド溝内に上端部が挿入されて横方向にスライド自在に支持された可動框と、該スクリーンの横方向の第二端を保持する第２保持部を有し、上記左右縦枠の一方に固定される固定框と、を備えていて、上記上側ガイド溝が、長手方向に略一定の開口幅を有して上記可動框の上端部をスライド自在に支持する上側ガイド部と、上記固定框の上端部に配されて、上記建物開口を開放した収縮状態におけるスクリーンの襞の上端部を収容する上側拡幅部とを備えて構成されており、上記上側拡幅部の開口幅が、上記スクリーンの襞の幅と同じかそれよりも広く形成され、上記上側ガイド部の開口幅が、該スクリーンの襞の幅よりも狭く、且つ、上記建物開口を閉鎖した拡張状態におけるスクリーンの一面側に配された各折り目を含む面と他面側に配された各折り目を含む面との間隔よりも広く形成されていることを特徴とするものである。
このとき、上記上側ガイド溝において、上側ガイド部と上側拡幅部とが、該ガイド溝の開口幅を該ガイド部から該拡幅部に向けて徐々に拡大させる傾斜部により連結されていることが望ましい。
【０００６】
また、本発明に係る上記スクリーン装置は、断面略コ字状に形成された一連の下側ガイド溝を備え、該下側ガイド溝を上方に開口させて上記下横枠上に固定される下側ガイド枠を有していて、上記スクリーンの各襞の下端部が該下側ガイド溝内に配されると共に、上記可動框の下端部が上記下側ガイド溝内に挿入されており、上記下側ガイド溝が、長手方向に略一定の開口幅を有して上記可動框の下端部をスライド自在に支持する下側ガイド部と、上記固定框の下端部に配されて、上記建物開口を開放した収縮状態におけるスクリーンの襞の下端部を収容する下側拡幅部とを備えて構成され、上記下側拡幅部の開口幅が、上記スクリーンの襞の幅と同じかそれよりも広く形成されていて、上記下側ガイド部の開口幅が、該スクリーンの襞の幅よりも狭く、且つ、上記建物開口を閉鎖した拡張状態におけるスクリーンの一面側に配された各折り目を含む面と他面側に配された各折り目を含む面との間隔よりも広く形成されているものであっても良い。
このとき、上記下側ガイド溝において、下側ガイド部と下側拡幅部とが、該ガイド溝の開口幅を該ガイド部から該拡幅部に向けて徐々に拡大させる傾斜部により連結されていることが望ましい。
【０００７】
さらに、上記スクリーン装置においては、上記可動框の第１保持部が、スクリーンの開閉方向に対し所定角度傾斜させて設けられており、上記スクリーンの第一端に配された襞が、上記所定角度傾斜させた状態で上記第１保持部に保持されていることが望ましく、この場合、上記建物開口を閉鎖した拡張状態におけるスクリーンの互いに隣接する襞が、上記折り目で略９０度の角度を成していて、上記第１保持部のスクリーンの開閉方向に対する傾斜角度が略４５度を成しているとより好ましい。
【０００８】
上記スクリーン装置の具体例においては、上記固定框が、上記建物開口を開放した収縮状態におけるスクリーンを収容する断面略コ字状の収容溝を備えていて、該収容溝を上記可動框側に開口させて上記左右縦枠の一方に固定されており、該収容溝の内底部に、上記第２保持部が設けられている。そして、上記上側ガイド枠が、上記上側ガイド部を備えた上側枠本体部と、上記上側拡幅部を備えて該枠本体部とは別体に形成され、上記固定框の上端部において該枠本体部の一端に連結された上側キャップ部とにより構成されており、また、上記下側ガイド枠が、上記下側ガイド部を備えた下側枠本体部と、上記下側拡幅部を備えて該枠本体部とは別体に形成され、上記固定框の下端部において該枠本体部の一端に連結された下側キャップ部とにより構成されている。
なお、上記スクリーンとしては、防虫ネットが好適に用いられる。
【発明の効果】
【０００９】
本発明に係るスクリーン装置によれば、スクリーンのスムーズな拡縮動作を確保しつつも、特に建物開口を閉鎖したスクリーンの拡張状態において、スクリーンとガイド枠のガイド溝との間に形成される隙間を可及的に小さくすることが可能となり、小虫や塵埃等の侵入をより確実に防止することができる。しかも、ガイド枠自体の幅もより小さくすることが可能となるため、ガイド枠の材料コストをも抑制することができると同時に、デザイン性においてもより優れたものとすることができる。
【発明を実施するための最良の形態】
【００１０】
図１から図５は、本発明に係るスクリーン装置の一実施例を示すもので、この実施例のスクリーン装置は、互いに対向する上下横枠１，２、及び互いに対向する左右縦枠３，４により囲われて形成された建物開口に装着されるもので、上記上下横枠１，２にそれぞれ取付けられる上側ガイド枠５及び下側ガイド枠６と、横方向にアコーディオン状に拡縮自在で、上下方向に上端及び下端を有すると共に横方向に第一端及び第二端を有するスクリーン７と、該スクリーン７の第一端を保持して横方向にスライド自在な可動框８と、該スクリーン７の第二端を保持して上記左縦枠３に固定される固定框９と、上記右縦枠４に固定され、上記建物開口を閉鎖したスクリーン７の拡張状態（以下、このようなスクリーン７の状態を、単に「拡張状態」という。）において上記可動框８を当接させるための受け枠１０とで構成されている。
【００１１】
ここで、上記上下一対の各ガイド枠５，６には、断面略コ字状に形成された長手方向に延びる一連の上側ガイド溝２３及び下側ガイド溝３１がそれぞれ凹設されており、上側ガイド枠５が、上側ガイド溝２３を下方に開口させて上記上横枠１に固定され、下側ガイド枠６が、下側ガイド溝３１を上方に開口させて上記下横枠２に固定される。そして、これらガイド枠５，６の各ガイド溝２３，３１内に、上記可動框８の上端部及び下端部がそれぞれ挿入されて横方向にスライド自在に支持されていると共に、上記スクリーン７の上端部及び下端部がそれぞれ拡縮自在に配されている。
【００１２】
上記スクリーン７は、柔軟性を有するシート状体を縦方向に延びる多数の折り目で交互に逆方向に折り返すことにより多数の襞が形成されて成るプリーツ状のもので、上記折り目が略等間隔に配されていて、これら各襞の幅が相互に略同幅ａに形成されている。
そして、このスクリーン７は、図２及び図４に示すように、その拡張状態において、互いに隣接する襞が上記各折り目で略９０度の角度を成し、且つ各襞がスクリーンの開閉方向に対して略４５度傾斜した状態となるように形成されている。
【００１３】
この実施例においては、上記スクリーン７における第一端及び第二端すなわち横方向両端に位置する襞に、該スクリーン７の上下方向に延びる板状のセットプレート７ａ，７ｂがそれぞれ取付けられていて、スクリーン７の上記可動框８及び固定框９に対する取付けに供されている。また、この実施例では、スクリーン７として防虫網を用いており、スクリーン装置全体が網戸として機能するように構成されている。
なお、スクリーン７の上端部の複数箇所には、後述する上側ガイド枠５のガイドレール３０により該上側ガイド枠５の長手方向に沿ってガイドされる上側案内駒１１が配置されており、また、スクリーン７の下端部の複数箇所には、後述する下側ガイド枠６のレール溝３８により該下側ガイド枠６の長手方向に沿ってガイドされる下側案内駒１２が配置されている。そして、これらの上側案内駒１１及び下側案内駒１２は、後述するスクリーンの平行移動機構に係るワイヤ部材３９に係止されていて、このスクリーン７の拡縮と共に移動自在となっている。
【００１４】
上記可動框８は、スクリーン７の開閉操作時に手を掛けるための凹部１３ａを両面に備えた基体部１３と、該基体部１３の一端側に設けられて上記スクリーン７の第一端を保持させるための第１保持部１４と、上記基体部１３の他端側に取付けられ、上記スクリーン７の拡張状態において上記受け枠１０に当接するカバー部１５とを有している。また、図５に示すように、この可動框８は、上側ガイド枠５に形成された上側ガイド溝２３内、及び、下側ガイド枠６に形成された下側ガイド溝３１内に、その上端部及び下端部をそれぞれ挿入された状態で自在に往復移動できるようになっている。
【００１５】
上記第１保持部１４は、図２〜図４からわかるように、可動框８の上下方向に延びる断面略三角形の溝状に形成されていて、スクリーン７の開閉方向に対し所定角度傾斜した状態で上記固定框９側に開口している。そして、この第１保持部１４内において、上記スクリーン７の第一端側のセットプレート７ａが、上記所定角度傾斜させた状態で係止されている。
具体的には、この第１保持部１４は、上記基体部１３と一体に設けられて固定框９側への突出幅が互いに異なる第１溝壁１６及び第２溝壁１７により形成されている。そして、これら第１溝壁１６及び第２溝壁１７の先端には、溝開口の内側に向けて係止爪１６ａ，１７ａがそれぞれ突設されていて、該溝内に収容された上記セットプレート７ａの両側縁が、これら係止爪１６ａにより係止されている。
なお、本実施例では、保持溝１４における上記溝開口の傾斜角度が、スクリーンの開閉方向に対して約４５度、すなわち、上記スクリーン７の拡張状態において互いに隣接する襞が各折り目で形成する角度の約半分の角度に設定されている。
【００１６】
上記基体部１３における上記カバー部１５が取付けられる側の面には、取付溝１３ｂが形成されていて、この取付溝１３ｂに該カバー部１５が嵌入され着脱可能に係止された状態で固定されている。また、この取付溝１３ｂの溝底には、後述するスクリーンの平行移動機構を形成するワイヤ部材３９の端部を固定するための螺子４０が複数取付けられており、上記カバー部１５を取り外すことにより、該ワイヤ部材３９のテンションを調節したり等することができるようになっている。
【００１７】
上記固定框９は、上記可動框８側に向けて開口し、上記建物開口を開放した収縮状態のスクリーン７（以下、このようなスクリーン７の状態を、単に「収縮状態」という。）を収容するための収容溝１８と、該収容溝１８の溝底部に設けられ、上記スクリーン７の第２端を保持させるための第２保持部１９と、上記収容溝１８とは逆側の面に設けられ、上記左縦枠３に螺子固定された固定框取付用部材２１に対して着脱可能に連結するための連結部２０とを一体に有している。
上記収容溝１８は、一対の略同じ突出幅の溝壁１８ａ，１８ａにより断面略コ字状に形成されたもので、これらの一対の溝壁１８ａ，１８ａ間の間隔、すなわち該収容溝１８の溝幅が上記スクリーン７の襞の幅ａと同じかそれよりも若干大きく形成されており、スクリーン７を襞が折り畳まれた上記収縮状態で収容することができるようになっている。
【００１８】
上記第２保持部１９は、収容溝１８の溝底近傍における上記一対の溝壁１８ａ，１８ａ内面から互いに対向する鍔片１９ａ，１９ａを突設することにより、収容溝１８の溝底とこれら一対の鍔片１９ａ，１９ａとの間に略矩形の内部空間を形成したもので、該内部空間に上記スクリーン７の第二端側のセットプレート７ｂが収容されて、その両側縁が上記鍔片１９ａ，１９ａに係止されている。
上記連結部２０は、断面略コ字状に形成されていて、上記固定框取付用部材２１を嵌入して着脱可能に係止させることにより、固定框９を左縦枠３に対して固定することができるようになっている。
【００１９】
上記上側ガイド溝２３及び下側ガイド溝３１がそれぞれ形成された上下側各ガイド枠５，６は、図２〜図４に示すように、上記受け枠１０が配された右縦枠４側の一端から上記左縦枠３側の他端に向けて上記固定框９近傍まで延びる上下側各枠本体部２４，３２と、固定框９の上下各端部に配されて各枠本体部２４，３２に連設され、上記左縦枠３側の他端まで延びる上下側各キャップ部２５，３３とにより構成されている。これらガイド枠５，６において、上記枠本体部２４，３２とキャップ部２５，３３とは別体に形成されていて、互いにほぼ同じ高さ及び幅を有しており、互いに端面同士を当接させて隙間無く連結されている。また、上側枠本体部２４及び上側キャップ部２５と下側本体部３２及び下側キャップ部３３とは、それぞれ互いに略同幅で略同じ長さに形成されている。
【００２０】
上記上下側各ガイド溝２３，３１はそれぞれ、図２〜図４に示すように、ガイド部２６，３４と、該ガイド部２６，３４よりも開口幅が大きい拡幅部２７，３５と、該ガイド部２６，３４と該拡幅部２７，３５との間に配され、ガイド溝２３，３１の開口幅を上記ガイド部２６，３４から上記拡幅部２７，３５に向けて徐々に拡大させて両者を連結する傾斜部２８，３６とにより構成されている。
そして、上側ガイド溝２３内における上記スクリーン７の上端上には、下方に向けて開口する一対のレール溝３０ａを備えて成る長尺の上記ガイドレール３０が、該ガイド溝２３の一端部から他端部にわたって配されている。該ガイドレール３０は、上記スクリーン７の襞の幅ａよりも若干幅広のプレート状に形成されていて、それらレール溝３０ａの一方によって上記上側案内駒１１の上端部が摺動自在に支持されている。一方、下側ガイド溝３１内の側壁には、上記レール溝３８が、該ガイド溝３１の一端部から他端部にわたって一体に形成されており、該レール溝３８によって上記下側案内駒１２の下端部が摺動自在に支持されている。
【００２１】
上記上下側各ガイド部２６，３４はそれぞれ、上記上下側各枠本体部２４，３２に形成されていて、長手方向に沿って略一定の開口幅ｂを備えており、上記上下側各ガイド枠５，６における上記受け枠１０が配された一端部から他端側に配された固定框９の収容溝１８近傍まで直線状に延びている。そして、これら各ガイド部２６，３４に上記可動框８の上下各端部がそれぞれ挿入されスライド自在に支持されている。一方、上記上下側各拡幅部２７，３５はそれぞれ、上記上下側各キャップ部２５，３３に形成され、長手方向に沿って略一定の開口幅ｃを備えており、上記収容溝１８の上下各端部に配されている。そして、これら拡幅部２７，３５に上記収縮状態のスクリーン７の上下各端部が収容されるようになっている。また、上記傾斜部２８，３６は、上記各キャップ部２５，３３に形成されていて、開口幅が両幅方向にｂからｃへと略直線的に拡大するように形成されており、上記収容溝１８の開口よりも上記各枠本体部２４，３２寄りに配されて、両端がそれぞれ上記各ガイド部２６，３４及び各拡幅部２７，３５に接続されている。
【００２２】
なお、上記各ガイド部２６，３４の開口幅ｂは、可動框８の安定的且つ自在な開閉操作を実現するため該可動框８の幅よりも若干大きく形成されており、また、上記受け枠１０の幅とほぼ同じ大きさに形成されている。さらに、上記各拡幅部２７，３５の開口幅ｃは、上記固定框９の幅とほぼ同じ大きさに形成されている。そして、これら固定框９及び受け枠１０の上下各端部が、それぞれ上記各拡幅部２７，３５及び上記各ガイド部２６，３４に対し嵌合状態で挿入されている。ここで、これら固定框９及び受け枠１０の上下各端部は、必ずしも拡幅部２７，３５及びガイド部２６，３４に対し挿入される必要性はなが、固定框９の上下各端部が拡幅部２７，３５に挿入されている場合には、上記収容溝１８の開口幅が実質的な上記拡幅部２７，３５の開口幅ｃを形成する。
【００２３】
ところで、プリーツ状のスクリーン７は、襞を折り畳んだ上記収縮状態においては、各襞がスクリーン７の開閉方向に対して略直角を成した状態となるため、その厚さ、すなわち該スクリーン７の一面側に配された各折り目を含む第一面ｍと他面側に配された各折り目を含む第二面ｎとの間隔が、襞の幅ａにほぼ等しくなるが、その一方で、襞を展開させた上記拡張状態においては、該襞がスクリーン７の開閉方向に対して所定角度傾斜した状態となるため、上記第一面ｍと第二面ｎとの間隔が襞の幅ａよりも小さくなる。
【００２４】
そこで、本発明に係るスクリーン装置においては、上記上下側各拡幅部２７，３５の開口幅ｃが、襞の幅ａと同じかそれよりも若干大きく形成されており、その一方で、上記上下側各ガイド部２６，３４の開口幅ｂが、襞の幅ａよりも小さく、且つ、上記拡張状態のスクリーン７における上記第一面ｍと第二面ｎとの間隔ｄ（この実施例では、ｄ≒ａ／√２）よりも大きく形成されている。そして、これら各拡幅部２７，３５と各ガイド部２６，３４との間に上記傾斜部２８，３６をそれぞれ配することにより、特に上記収縮状態で各拡幅部２７，３５に収容されたスクリーン７の上下各端部をそれぞれ、各ガイド部２６，３４へと繰り出す際に、折り畳まれた襞をスムーズに展開させることができるようになっている。
【００２５】
したがって、可動框８のスライド操作によるスクリーン７の開閉操作時には、スムーズ且つ安定した可動框８のスライド動作とスクリーンの拡縮動作とを確保することができ、また、上記スクリーン７の拡張状態においては、スクリーン７と各ガイド枠５，６のガイド溝２３，３１との間に形成される隙間を可及的に小さくすることが可能となるため、スクリーン７の上下各端部の風等による揺れをより抑制することができると同時に、ガイド溝２３，３１を通じて小虫や塵埃が室内に侵入するのをより確実に防止することができる。しかも、結果として、各ガイド枠５，６自体の幅もより小さくすることが可能となるため、各ガイド枠５，６の材料コストをも抑制することができると同時に、デザイン性においてもより優れたものとすることができる。
【００２６】
さらに、上記スクリーン装置には、上記可動框８をほぼ鉛直状態で固定框９と略平行を維持してスライドさせると共に、該スクリーン７の大きな揺らぎ等を防止するため、ワイヤ部材３９を用いた平行移動機構が設けられている。この平行移動機構は既に周知のものであるため、ここでは詳しい説明は省略するが、図１及び図５に示すように、上記ワイヤ部材３９を、スクリーン７の上下方向の複数箇所において該スクリーン７の各襞を横方向に貫通させ、上記スクリーン装置内に架設することにより構成されている。そして、上記上側案内駒１１及び下側案内駒１２がそれぞれ、スクリーン７の上下端側を貫通するワイヤ部材３９に摺動自在に係止されている。
【００２７】
以上、本発明に係るスクリーン装置の一実施例について詳細に説明してきたが、本発明は上記実施例に限定されるものではなく、本発明の要旨を逸脱しない範囲において、様々な設計変更が可能である。
例えば、この実施例においては、上下一対のガイド枠５，６を設けているが、必ずしも両ガイド枠５，６を設ける必要性はなく、下側ガイド枠６を他の代替手段に置き換えても良い。また、上記各ガイド枠５，６において、各枠本体部２４，３２とキャップ部２５，３３とが一体に形成されていても良い。
また、この実施例においては、上側ガイド部２６と下側ガイド部３４の溝幅、及び、上側拡幅部２７と下側拡幅部３５の溝幅を、それぞれ同じとしたが、必ずしも同じである必要性はなく、上記各寸法条件を満たす範囲において、それぞれ互いに異なっていても良い。
【図面の簡単な説明】
【００２８】
【図１】本発明に係るスクリーン装置を建物開口に装着した状態を示す正面図である。ただし、スクリーンの開閉操作の中途状態を示す。
【図２】本発明に係るスクリーン装置の図１におけるＡ−Ａ断面図である。ただし、スクリーンの拡張状態を示す。
【図３】本発明に係るスクリーン装置の図２における要部拡大図である。ただし、スクリーンの収縮状態を示す。
【図４】本発明に係るスクリーン装置の図１におけるＢ−Ｂ断面図である。ただし、スクリーンの拡張状態を示す。
【図５】本発明に係るスクリーン装置の図１におけるＣ−Ｃ断面図である。
【符号の説明】
【００２９】
１    上横枠
２    下横枠
３    左縦枠
４    右縦枠  
５    上側ガイド枠
６    下側ガイド枠
７    スクリーン
８    可動枠
９    固定框
２３    上側ガイド溝
２４    上側枠本体部
２５    上側キャップ部
２６    上側ガイド部
２７    上側拡幅部
２８，３６    傾斜部
３１    下側ガイド溝
３２    下側枠本体部
３３    下側キャップ部
３４    下側ガイド部
３５    下側拡幅部
【図１】
0004820788.tif 000002
【図２】
0004820788.tif 000003
【図３】
0004820788.tif 000004
【図４】
0004820788.tif 000005
【図５】
0004820788.tif 000006